(57)【要約】      （修正有）【課題】  ディスプレイに表示される保守情報を工作機械使用者により変更可能にすると共に、その変更内容を工作機械メーカにおける保守情報の表示内容の改良に活用できるようにすること。【解決手段】  工作機械メーカの事業所１に設置されたメーカ側コンピュータ２と、顧客事業所３に設置され工作機械４を管理する顧客側コンピュータ５とをネットワーク６で通信可能とし、顧客側コンピュータ５は、ディスプレイ１４に表示する保守情報Ｄを変更可能な保守情報変更手段１、および変更された保守情報Ｄを前記メーカ側コンピュータ２に伝送する保守情報伝送手段１２とを有するものとする。保守情報Ｄは、工作機械４の操作盤８における表示装置９に表示させる機械画面表示情報Ｄａとその対応する詳細情報Ｄｂと画像情報Ｄｃとの３種類の情報を少なくとも含み、詳細情報Ｄｂと画像情報Ｄｃはは顧客側で変更可能、機械画面表示情報Ｄａはメーカ側でのみ変更可能とする。【選択図】図１
2005202831.tif 000002
【特許請求の範囲】
【請求項１】
工作機械メーカの事業所に設置されたメーカ側コンピュータと、顧客事業所に設置され工作機械を管理する顧客側コンピュータとをネットワークで通信可能とし、前記顧客側コンピュータは、ディスプレイに表示する保守情報を変更可能な保守情報変更手段、および変更された保守情報を前記メーカ側コンピュータに伝送する保守情報伝送手段を有するものとした工作機械保守システム。
【請求項２】
前記顧客側コンピュータのディスプレイに表示する前記保守情報は、前記工作機械の操作盤における表示装置に表示させる機械画面表示情報と、この機械画面表示情報に対応した詳細な情報である詳細情報と、画像情報との３種類の情報を少なくとも含むものとし、前記顧客側コンピュータにおける前記保守情報変更手段は、前記３種類の情報のうち、前記詳細情報と画像情報とを変更可能で、機械画面表示情報は変更不可なものとした請求項１記載の工作機械保守システム。
【請求項３】
前記メーカ側コンピュータは、前記顧客側コンピュータから伝送された前記保守情報を蓄積する保守情報蓄積手段と、前記保守情報のうち、機械画面表示情報を修正して記憶する機械画面情報修正・記憶手段と、この機械画面情報修正・記憶手段に記憶された修正済みの機械画面表示情報を顧客側コンピュータに対して伝送可能とする機械画面修正情報伝送手段とを備え、前記顧客側コンピュータは、前記メーカ側コンピュータの前記機械画面修正情報伝送手段を介して機械画面表示情報を更新する機械画面情報更新手段を有するものとした請求項２記載の工作機械保守システム。
【発明の詳細な説明】
【技術分野】
【０００１】
この発明は、工作機械の管理用のコンピュータにおいて、アラーム時等に画面に表示するアラームメッセージや詳細情報等の保守情報を管理する工作機械保守システムに関するものである。
【背景技術】
【０００２】
従来、工作機械では、機械がアラーム状態になったときに、機上にある操作盤等の表示装置を使用し、故障情報を表示している。このようなアラーム情報の詳細内容を表示可能とし、かつ使用者が自分で理解し易いように編集可能としたものも提案されている（例えば、特許文献１）。
【特許文献１】特開平１１−８５４３４号公報
【発明の開示】
【発明が解決しようとする課題】
【０００３】
上記従来の一般的なアラーム情報表示の仕組みの問題点として、次の事項がある。
１）多くの情報を表示させるには、機上のコントローラのハードウェア的な制約、例えばメモリ容量、画面サイズ等により、十分な情報を表示させることができない。
２）カラー画面を使用してパーソナルコンピュータ機能等を搭載すれば、画像情報を出すことは、技術的に不可能ではないが、現実の作業現場では、そこまでの投資は過剰となる。
３）アラームメッセージ表示は、プログラムのコード情報ではないので、間違っていても機械の動作に影響しないため、工作機械のユーザもメーカもサポートが手薄になっている。また、設計時に想定したメッセージ情報と、実際にユーザが使用したときに必要とする情報は微妙に異なることが一般に言われている。具体的には、設計者が作成した文章は、制御プログラムを解析して作成しており、実際の機械でメッセージ表示した場合に、作業者には理解し難い文章となっていることがある。また、工作機械は、ユーザや工場によって、搬送装置との組み合わせ等の使用環境が異なっていて、所定の工場では所定のアラームが工作機械とは別の特定部位の故障に直結している場合もあり、そのような場合、アラームメッセージでその特定部位を表示することが便利である。しかし、このような情報が通常では得られない。
【０００４】
特許文献１に示されるようなメッセージ表示の内容を編集可能としたものでは、その工作機械については使い易いものとなるが、他の工作機械には反映されない。また、新たな工作機械を導入した場合に、メーカ側の技術者はメッセージ表示の編集内容が分からず、依然として初期設定のメッセージ表示が分かりにくいものとなり、ユーザにおいて、再度のメッセージ編集の必要が生じる。
また、一般的には、特許文献１のような編集機能を備えておらず、個々の作業者がノート等にアラーム番号に対する処置をメモしておき、次の運用に備えるようにしている。そのため、個々の作業者のメモの内容が、その作業者のみで利用されることになり、有効に生かされない。
【０００５】
この発明の目的は、ディスプレイに表示される保守情報を工作機械使用者により変更可能にすると共に、その変更内容を工作機械メーカにおける保守情報の表示内容の改良に活用できるようにした工作機械保守システムを提供することである。
この発明の他の目的は、修正可能情報とそうでない情報とを予め分別し、情報の管理運用を確実とすることである。
この発明のさらに他の目的は、メーカによる保守情報の改良内容に、顧客で容易に更新できるようにすることである。
【課題を解決するための手段】
【０００６】
この発明の工作機械保守システムは、工作機械メーカの事業所（１）に設置されたメーカ側コンピュータ（２）と、顧客事業所（３）に設置され工作機械（４）を管理する顧客側コンピュータ（５）とをネットワーク（６）で通信可能とする。前記顧客側コンピュータ（５）は、ディスプレイ（１４）に表示する保守情報（Ｄ）を変更可能な保守情報変更手段（１１）、および変更された保守情報（Ｄ）を前記メーカ側コンピュータ（２）に伝送する保守情報伝送手段（１２）を有するものとする。
【０００７】
この構成によると、顧客において、顧客側コンピュータ（５）の保守情報変更手段（１１）により、ディスプレイ（１４）に表示する保守情報（Ｄ）が変更可能であるため、その顧客でわかり易い内容に自由に変えることができる。この保守情報（Ｄ）は、単にディスプレイ（Ｄ）に表示する情報であり、機械（４）を動作させる情報ではないため、仮に誤った内容に変更されたとしても、機械（４）の動作に直接には影響せず、安全性が保てる。保守情報変更手段（１１）で変更された保守情報（Ｄ）は、保守情報伝送手段（１２）によりメーカ側コンピュータ（２）に伝送される。そのため、メーカ側において、各顧客でどのように保守情報（Ｄ）が変更されたかが分かり、顧客一般において便利と考えられる保守情報（Ｄ）の変更内容等を有効に活用して、保守情報（Ｄ）の更新情報を準備しておいたり、新たな工作機械（４）における保守情報（Ｄ）の作成に役立てることができる。
【０００８】
この発明において、前記顧客側コンピュータ（５）のディスプレイ（１４）に表示する前記保守情報（Ｄ）は、前記工作機械（４）の操作盤（８）における表示装置（９）に表示させる機械画面表示情報（Ｄａ）と、この機械画面表示情報（Ｄａ）に対応した詳細な情報である詳細情報（Ｄｂ）と、画像情報（Ｄｃ）との３種類の情報を少なくとも含むものとすることが好ましい。この場合に、前記顧客側コンピュータ（２）における前記保守情報変更手段（１１）は、前記３種類の情報のうち、前記詳細情報（Ｄｂ）と画像情報（Ｄｃ）とを変更可能で、機械画面表示情報（Ｄａ）は変更不可なものとする。
【０００９】
工作機械（４）の操作盤（８）における表示装置（９）は、画面サイズやメモリ容量等から制約が大きいため、機械画面表示情報は、例えばアラームメッセージ番号（Ｄａａ）と簡単なアラームメッセージ（Ｄａｂ）等に止めておくことが必要となる。この機械画面表示情報（Ｄａ）に対応した詳細情報（Ｄｂ）と画像情報（Ｄｂ）を準備しておき、顧客側コンピュータ（５）のディスプレイ（１４）に表示可能としておくことで、アラーム種類毎、例えばアラームメッセージ番号（Ｄａａ）毎の詳細内容を知ることができ、アラーム原因やその対処が分かり易いものとできる。また、適宜の画像情報（Ｄｃ）が付されることで、これらアラーム原因やその対処がより一層分かり易いものとできる。これら詳細情報（Ｄｂ）や画像情報（Ｄｃ）は、保守情報変更手段（１１）を用い、顧客により自由に変更可能なものとしておくことで、顧客毎、あるいは工作機械（４）毎に定めておいた保守手順等を示すこともでき、使用に便利なものとなる。ただし、保守情報（Ｄ）のうちの基本となる機械画面表示情報（Ｄａ）については、顧客による自由な変更を不可としておくことで、自由な変更の繰り返し等による誤りが防止できる。このように修正可能な情報とそうでない情報とを予め分別しておくことで、情報管理を確実なものとできる。
【００１０】
また、前記メーカ側コンピュータ（２）は、前記顧客側コンピュータ（５）から伝送された前記保守情報（Ｄ）を蓄積する保守情報蓄積手段（１６）と、前記保守情報（Ｄ）のうち、機械画面表示情報（Ｄａ）を修正して記憶する機械画面情報修正・記憶手段（１７）と、この機械画面情報修正・記憶手段（１７）に記憶された修正済みの機械画面表示情報（Ｄａ）を顧客側コンピュータ（５）に対して伝送可能とする機械画面修正情報伝送手段（２０）とを備え、前記顧客側コンピュータ（５）は、前記メーカ側コンピュータ（２）の前記機械画面修正情報伝送手段（２０）を介して機械画面情報（Ｄａ）を更新する機械画面情報更新手段（１３）を有するものとしても良い。
この構成の場合、顧客側コンピュータ（５）から伝送された前記保守情報（Ｄ）を保守情報蓄積手段（１６）に蓄積することができるため、メーカの技術者において、保守情報（Ｄ）における基本情報となる機械画面表示情報（Ｄａ）を、機械画面情報修正・記憶手段（１７）によって適切なものに修正し、これを同機械画面情報修正・記憶手段（１７）に記憶しておくことができる。また、顧客側コンピュータ（５）において、機械画面情報更新手段（１３）を用い、メーカ側の機械画面情報修正・記憶手段（１７）に記憶された機械画面表示情報（Ｄａ）に更新することができる。機械画面表示情報（Ｄａ）は、保守情報（Ｄ）における基本情報となるものであり、メーカ側で修正することにより誤りなく修正でき、これを各顧客が更新して使用することができる。また、各顧客の詳細情報（Ｄｂ）等の修正内容を反映して、多くの顧客が分かり易く、使い勝手の良い内容に修正できる。
【発明の効果】
【００１１】
この発明の工作機械保守システムは、工作機械メーカの事業所に設置されたメーカ側コンピュータと、顧客事業所に設置され工作機械を管理する顧客側コンピュータとをネットワークで通信可能とし、前記顧客側コンピュータは、ディスプレイに表示する保守情報を変更可能な保守情報変更手段、および変更された保守情報を前記メーカ側コンピュータに伝送する保守情報伝送手段とを有するものとしたため、ディスプレイ表示される保守情報を工作機械使用者により変更可能にすると共に、その変更内容を工作機械メーカにおける保守情報の表示内容の改良に活用することができる。
前記顧客側コンピュータのディスプレイに表示する前記保守情報は、工作機械の操作盤における表示装置に表示させる機械画面表示情報と、この機械画面表示情報に対応した詳細な情報である詳細情報と、画像情報との３種類の情報を少なくとも含むものとし、前記顧客側コンピュータにおける前記保守情報変更手段は、前記３種類の情報のうち、前記詳細情報と画像情報とを変更可能で、機械画面表示情報は変更不可なものとした場合は、修正可能情報とそうでない情報とが予め分別されることにより、情報の管理運用を確実なものとできる。
前記メーカ側コンピュータが、前記顧客側コンピュータから伝送された前記保守情報を蓄積する保守情報蓄積手段と、前記保守情報のうち、機械画面表示情報を修正して記憶する機械画面情報修正・記憶手段と、この機械画面情報修正・記憶手段に記憶された修正済みの機械画面表示情報を顧客側コンピュータに対して伝送可能とする機械画面修正情報伝送手段とを備え、前記顧客側コンピュータが、前記メーカ側コンピュータの前記機械画面修正情報伝送手段を介して機械画面情報を更新する機械画面情報更新手段を有するものとした場合は、メーカによる保守情報の改良内容に、顧客で任意時に容易に更新できるようにすることができる。
【発明を実施するための最良の形態】
【００１２】
この発明の一実施形態を図１および図２と共に説明する。図２は、この工作機械保守システムの概要を示す。同図において、工作機械メーカの事業所１に設置されたメーカ側コンピュータ２と、個々の顧客事業所３に設置されて工作機械４を管理する顧客側コンピュータ５とがネットワーク６で通信可能とされている。
【００１３】
メーカ側コンピュータ２は、例えばデータベースサーバやウェブサーバとなるものである。同図は１個で代表して示しているが、この明細書で言うメーカ側コンピュータ２は、複数台のコンピュータがローカルエリアネットワーク等により接続されたものであっても良い。
【００１４】
顧客事業所３に設置された工作機械４は、旋盤やマシニングセンタの他に、パンチプレス等の板材加工機等を含み、物を生産する機械一般を示す広義の工作機械のことである。これら工作機械４は、コンピュータ式の数値制御装置等の制御装置７を含むものである。同図では、工作機械４は、ワークの搬入搬出用の搬送装置４ｂを含む自動工作機械とされている。
顧客側コンピュータ５は、工作機械４における制御装置７に接続されたものである。顧客側コンピュータ５は、複数台の工作機械４に接続されて管理室等に設置されたものであっても、個々の工作機械４毎に設けられたものであっても良い。また、顧客側コンピュータ５は、工作機械４の数値制御等の制御を行う制御装置を兼ねるものであっても良い。
【００１５】
ネットワーク６は、電話回線網や他の通信回線網を用いたコンピーュータネットワークであり、インターネット等の広域ネットワークである。
【００１６】
図１は、この工作機械保守システムの概念構成を示すブロック図である。顧客事業所３における工作機械４は、機械本体４ａとこの機械本体４ａを制御する制御装置７とで構成される。機械本体４ａの他に、図２に示した搬送装置４ｂを含んでいても良い。搬送装置４ｂを含む場合、制御装置７は搬送装置４ｂの制御を兼ねるものであっても良い。図１において、制御装置７は、前記のようにコンピュータ式の数値制御装置等からなり、操作盤８を有している。操作盤８に、液晶画面等による表示装置９が設けられている。制御装置７は、機械本体４ａの各部のセンサ（図示せず）に接続されており、機械本体４ａの所定の異常が検出されたときに、所定のアラーム信号を発生するものとされている。
【００１７】
顧客側コンピュータ５は、工作機械４の制御装置４とローカールエリアネットワークやインタフェース等で接続されており、工作機械４の各種の管理に用いられる。顧客側コンピュータ５は、例えば、工作機械４の故障情報等の保守情報の蓄積や分析、その保守情報における詳細情報の任意編集および蓄積、ノウハウの表示、メーカへのフィードバック等の処理を行うものとされる。顧客側コンピュータ５は、工作機械４の上位制御手段を兼ねるものであっても良い。
【００１８】
顧客側コンピュータ５は、具体的には、次の保守情報変更手段１１，保情情報伝送手段１２、機械画面情報更新手段１３、および保守情報記憶手段１０を有しており、また液晶式等のディスプレイ１４が設けられている。
保守情報変更手段１１は、ディスプレイ１４に表示する保守情報Ｄを変更可能な手段である。保守情報変更手段１１は、保守情報Ｄにおける後述の機械画面表示情報Ｄａ，詳細情報Ｄｂ，および画像情報Ｄｃの３種類の情報のうち、詳細情報Ｄｂと画像情報Ｄｃとが変更可能で、機械画面表示情報Ｄａは変更不可なものとされる。
【００１９】
保守情報伝送手段１２は、保守情報変更手段１１で変更された保守情報Ｄをメーカ側コンピュータ２に伝送する手段である。したがって、保守情報伝送手段１２は、保守情報Ｄのうち、詳細情報Ｄｂと画像情報Ｄｃとを伝送する。なお保守情報伝送手段１２は、保守情報Ｄのうち、伝送許可された情報だけを伝送するものとしても良い。伝送の許可，不許可は、例えば詳細情報Ｄｂや画像情操Ｄｃに所定のフラグを付しておくことで識別される。保守情報変更手段１１による保守情報Ｄの伝送は、顧客側コンピュータ５による送信指令に応答して行うようにしても良く、また保守情報変更手段１１による変更登録が成された都度行うようにしても、あるいはメーカ側コンピュータ２によるポーリング等によって行うようにしても良い。
【００２０】
ディスプレイ１４に表示する保守情報Ｄは、工作機械４の操作盤８における表示装置９の画面に表示させる機械画面表示情報Ｄａと、この機械画面表示情報Ｄａに対応した詳細な情報である詳細情報Ｄｂと、画像情報Ｄｃとの３種類の情報を少なくとも含むものとする。図１に示すディスプレイ１４の画面例では、画面全体における左上部に機械画面表示情報Ｄａが、下部に詳細情報Ｄｂが、右上に画像情報Ｄｃがそれぞれ表示されるものとしている。
【００２１】
機械画面表示情報Ｄａは、操作盤８における表示装置９の画面に表示させる情報であるため、保守情報Ｄのうちの基本の情報とされ、例えばアラームメッセージ番号Ｄａａと、簡単なアラームメッセージＤａｂとでなる。アラームメッセージ番号Ｄａａは、工作機械４の制御装置８の出力するアラーム信号の種類毎に、またはそのアラーム信号を整理して区分した区分毎に設定される。アラームメッセージＤａｂは、アラームメッセージ番号Ｄａａ毎に設けられる。アラームメッセージＤａｂは、具体例を示すと、「主軸チャックにワークがありません。」というような表示である。
【００２２】
詳細情報Ｄｂは、アラームメッセージＤａｂよりもさらに詳しい情報、またはアラームメッセージＤａｂを表現し直した情報とされ、アラームメッセージ番号Ｄａａ毎に設定可能とされる。この詳細情報Ｄｂは、顧客の作業者が上記保守情報変更手段１１によって任意に設定するものである。詳細情報Ｄｂの具体例を挙げると、前記「主軸チャックにワークがありません。」という機械画面表示情報ＤａのアラームメッセージＤａｂの場合に、「主軸チャックの着座を確認下さい。」というようなメッセージとされる。
画像情報Ｄｃは、顧客の作業者が上記保守情報変更手段１１によって任意に設定できる画像の情報であり、例えばアラームに関係する部位の写真や、略図、処理方法を示す図等の画像情報とされる。
【００２３】
保守情報記憶手段１０は、機械画面表示情報Ｄａ、詳細情報Ｄｂ、および画像情報Ｄｃ等の保守情報Ｄを、その情報種類を区別可能に記憶しておく手段である。
【００２４】
メーカ側コンピュータ２は、顧客側コンピュータ５から伝送された保守情報Ｄを蓄積する保守情報蓄積手段１６と、保守情報Ｄのうち、機械画面表示情報Ｄａを修正して記憶する機械画面情報修正・記憶手段１７と、この機械画面情報修正・記憶手段１７に記憶された修正済みの機械画面表示情報Ｄａを顧客側コンピュータ５に対して伝送可能とする機械画面修正情報伝送手段２０とを備える。機械画面情報修正・記憶手段１７は、機械画面情報Ｄａを修正する機械画面情報修正手段１８と、その修正した機械画面情報を記憶する機械画面情報記憶手段１９とで構成される。なお、メーカ側コンピュータ２において、機械画面表示情報Ｄａは、保守情報蓄積手段１６の蓄積情報とは別に、機械画面情報記憶手段１９や別の記憶手段に記憶しておく。
【００２５】
保守情報蓄積手段１６は、メーカ側コンピュータ２に設けられた保守情報受信手段２１を介して受信される保守情報Ｄを記憶する。保守情報蓄積手段１６には、保守情報Ｄが顧客毎に区別して記憶される。保守情報蓄積手段１６は、蓄積した保守情報について、各種のキーによって検索可能なデータベースであり、例えばアラームメッセージ番号毎の保守情報について、各顧客の保守情報を纏めて選択，出力可能とされる。
【００２６】
メーカ側コンピュータ２には、保守情報蓄積手段１６に記憶された保守情報Ｄを、顧客に特有の情報と、各顧客に共通の一般的な情報とに振り分ける振分手段２２を設けても良い。この振分手段２２は、例えば、保守情報蓄積手段１６から読み出した保守情報Ｄをオペレータが見て、顧客特有情報であるか一般情報であるかの区別用のフラグ等を付すものとしても良い。
【００２７】
修正画面情報伝送手段２０は、顧客側コンピュータ５に設けられた機械画面情報更新手段１３からの更新要求情報に応答して、機械画面情報記憶手段１７に記憶された機械画面表示情報Ｄａを伝送する。
【００２８】
顧客側コンピュータ５における機械画面情報更新手段１３は、所定の入力操作、あるいは自動設定等により、上記更新要求情報を送信し、かつ受信した機械画面表示情報Ｄａにより、保守情報記憶手段１０に記憶した機械画面表示情報Ｄａを更新する。
【００２９】
なお、顧客側コンピュータ５における各手段、つまり保守情報変更手段１１，保情情報伝送手段１２、機械画面情報更新手段１３、および保守情報記憶手段１０は、オペレーションシステムを備えた一般のパーソナルコンピュータ等のコンピュータに、工作機械保守システムアプリケーションプログラム（図示せず）をインストールすることによって構成される。
【００３０】
この構成によると、顧客側コンピュータ５に上記アプリケーションプログラムをインストールすることによって、上記各手段１０〜１３が構成される。
工作機械４にアラームが生じると、顧客側コンピュータ５において、所定のアラーム対応出力手段（図示せず）により、保守情報記憶手段１０に記憶された所定の機械画面表示情報Ｄａ、詳細情報Ｄｂ、および画像情報Ｄｃ等の保守情報Ｄが、ディスプレイ１４の画面に出力される。
【００３１】
詳細情報Ｄｂおよび画像情報Ｄｃは、保守情報変更手段１１によって、顧客によるカスタマイズが許可されており、顧客は納入後に任意に詳細情報Ｄｂおよび画像情報Ｄｃの内輪を変更することができる。万が一、変更した詳細情報Ｄｂまたは画像情報Ｄｃが間違っていても、保守情報変更手段１１によって容易に変更することができる。
【００３２】
機械画面表示情報Ｄａは、メーカによって改善が行われる。この改善した機械画面表示情報Ｄａは、メーカ側コンピュータ２上に置かれ、顧客は自由に必要なときにアップデート処理を行うことができる。つまり、メーカ側からも顧客側からも、予め区分された範囲で保守情報Ｄが更新され、万が一の機械故障時のサポート体制を強力に維持することができる。
【００３３】
詳細情報Ｄｂが顧客からメーカ側に保守情報伝送手段１２によって提供されれば、顧客側コンピュータ５のアプリケーションプログラムで構成された保守情報記憶手段１０における記憶内容に、機械画面情報更新手段１３を介してフィードバックがかけられる。
【００３４】
顧客側コンピュータ５の保守情報変更手段１１で保守情報Ｄを変更するときに、変更した詳細情報Ｄｂまたは画像情報Ｄｃが間違っていても、これらの情報は機械を制御する情報ではないため、工作機械４の動作に直接に影響を与えない。機械画面情報更新手段１３によって機械画面表示情報Ｄａを更新する場合も同様である。そのため、工作機械４の動作に影響を与えずに、保守情報Ｄを更新し、保守業務の効率化が期待できる。
【００３５】
顧客側コンピュータ５の保守情報記憶手段１０における保守情報Ｄが、運用に伴って成長して来ると、工作機械４の操作盤８の表示装置９からはアラームメッセージ番号Ｄａａを取得し、実際の対応はパーソナルコンピュータ等からなる顧客側コンピュータ５に対応を仰ぐことになる。この場合に、どんな番号を指示したかを記録すれば、故障の分析に役立つ。
【００３６】
また、詳細情報については、顧客において自由に設定できるので、例えば「現場１課の○○班長を読んで下さい。」等のように、機械のアラーム内容とは直接に関係しないような運用上で便利になる情報の表示や、管理方針の運用徹底等の用途にも利用することができる。
【図面の簡単な説明】
【００３７】
【図１】この発明の第一の実施形態にかかる工作機械保守システムの概念構成を示すブロック図である。
【図２】同システムの全体構成の概要を示す説明図である。
【符号の説明】
【００３８】
１…工作機械メーカの事業所
２…メーカ側コンピュータ
３…顧客事業所
４…工作機械
５…顧客側コンピュータ
６…ネットワーク
７…制御装置
８…操作盤
９…表示装置
１０…保守情報記憶手段
１１…保守情報変更手段
１２…保情情報伝送手段
１３…機械画面情報更新手段
１４…ディスプレイ
１６…保守情報蓄積手段
１７…機械画面情報修正・記憶手段
２０…機械画面修正情報伝送手段
Ｄ…保守情報
Ｄａ…機械画面表示情報
Ｄｂ…詳細情報
Ｄｃ…画像情報
【図１】
2005202831.tif 000003
【図２】
2005202831.tif 000004